(57)【要約】      （修正有）【課題】デバイダ取付部材から取外したデバイダを、刈取部に対し側方に大きく突出させることなく簡単に収納保管することができるコンバインのデバイダ収納構造を提供する。【解決手段】走行部を有する走行機体に、左右のデバイダ１２によって分草した植立穀稈を掻込リール１６で掻き込み刈刃１３で刈取ると共に、刈取られた穀稈をプラットホーム１１及び搬送部１０を介して脱穀部に搬送供給する刈取部９を配設したコンバインであって、前記左右のデバイダ１２を前方に向けて突設される左右のデバイダ取付部材２０に着脱自在に取付けると共に、デバイダ取付部材２０から取外したデバイダ１２を、刈取部９に対して設けた保持手段２７に保持させる構成にした。【選択図】図４
2014014314.tif 000002
【特許請求の範囲】
【請求項１】
走行部（２ａ）を有する走行機体（２）に、左右のデバイダ（１２）によって分草した植立穀稈を掻込リール（１６）で掻き込み刈刃（１３）で刈取ると共に、刈取られた穀稈をプラットホーム（１１）及び搬送部（１０）を介して脱穀部（６）に搬送供給する刈取部（９）を配設したコンバイン（Ａ）において、
前記左右のデバイダ（１２）を前方に向けて突設される左右のデバイダ取付部材（２０）に着脱自在に取付けると共に、デバイダ取付部材（２０）から取外したデバイダ（１２）を、刈取部（９）に対して設けた保持手段（２７）に保持させることを特徴とするコンバインのデバイダ収納構造。
【請求項２】
保持手段（２７）を、プラットホーム（１１）のオーガ後壁（１１ｂ）と搬送部（１０）のフィーダハウス（２０）とで形成されるコーナ状の空間スペース（Ｓ）に設ける請求項１記載のコンバインのデバイダ収納構造。
【請求項３】
保持手段（２７）を板状の取付部材とし、ボルト（２１）によってデバイダ（１２）を取付けるデバイダ取付部材（２０）の取付部（１２ｂ）と同形状にすると共に、取付部（１２ｂ）から取外したデバイダ（１２）を、保持手段（２７）に対し同じボルト（２１）によって取付ける請求項１又は２記載のコンバインのデバイダ収納構造。
【発明の詳細な説明】
【技術分野】
【０００１】
本発明は、コンバインのデバイダ収納構造に関する。
【背景技術】
【０００２】
従来、走行機体の前部に刈取部を昇降自在に設けると共に、後部の左右に脱穀部と操縦部とを配置するコンバインは、刈取部フレームから前方に向けて突設したデバイダ取付部材に対し、植立穀稈を分草するデバイダ（分草具）をボルトによって着脱自在に取付けるように構成されている（例えば特許文献１）。
そして、上記コンバインは、左右両端のデバイダにわたって架設されて、デバイダ間への他物の入り込みを抑制する保護用のバンパを設けている。
【先行技術文献】
【特許文献】
【０００３】
【特許文献１】特開２００４−１８７５２０号公報
【発明の概要】
【発明が解決しようとする課題】
【０００４】
上記特許文献１で示されるコンバインは、左右両端のデバイダにわたって架設されるバンパによって、デバイダの先端と人体との直接的な接触を防止できるため、圃場外での車両走行時に、道路交通法の安全上での規定を満たした路上走行を行える利点がある。
然しながら、このようなコンバインにあってバンパは、コンバイン作業時には取外したり機体又は他の場所に保管しなければならない補助備品であり、特別部品として製作されるためコスト高要因になると共に、取外したバンパを収容する場所や構造に苦慮する等の欠点がある。さらに、コンバインを生産工場からトラック積みやコンテナ積みをして出荷するとき、デバイダの長さ部分の積載スペースを占めるため荷積み作業を煩雑にすることがある。この場合にデバイダを取外すものでは、上記のようなスペース上の制約を解消することができるが、取外されたデバイダを適正に収納するデバイダ収納構造を備えないコンバインでは、一時的に保管されるデバイダや取付ボルト等を散逸させ易い等の問題がある。
【課題を解決するための手段】
【０００５】
上記課題を解決するために本発明は、第１に、走行部２ａを有する走行機体２に、左右のデバイダ１２によって分草した植立穀稈を掻込リール１６で掻き込み刈刃１３で刈取ると共に、刈取られた穀稈をプラットホーム１１及び搬送部１０を介して脱穀部６に搬送供給する刈取部９を配設したコンバインＡにおいて、
前記左右のデバイダ１２を前方に向けて突設される左右のデバイダ取付部材２０に着脱自在に取付けると共に、デバイダ取付部材２０から取外したデバイダ１２を、刈取部９に対して設けた保持手段２７に保持させることを特徴としている。
第２に、保持手段２７を、プラットホーム１１のオーガ後壁１１ｂと搬送部１０のフィーダハウス２０とで形成されるコーナ状の空間スペースＳに設けることを特徴としている。
第３に、保持手段２７を板状の取付部材とし、ボルト２１によってデバイダ１２を取付けるデバイダ取付部材２０の取付部１２ｂと同形状にすると共に、取付部１２ｂから取外したデバイダ１２を、保持手段２７に対し同じボルト２１によって取付けることを特徴としている。
【発明の効果】
【０００６】
請求項１の発明によれば、左右のデバイダを前方に向けて突設される左右のデバイダ取付部材に着脱自在に取付けると共に、デバイダ取付部材から取外したデバイダを、刈取部に対して設けた保持手段に保持させるデバイダ収納構造にしたことにより、デバイダを刈取部に保持したコンバインは、荷積み作業や路上走行時に、デバイダを外しているため人体との接触を防止し安全な運転を行うことができると共に、機体の全長を短くして積載スペースを少なくすることができるため、トラック積みやコンテナ積みを効率よく行うことができる。またバンパを必要としないので割安な構成になると共に、本機側でなく刈取部に収納するようにしたデバイダは着脱作業性に優れる等の特徴がある。
請求項２の発明によれば、保持手段を、プラットホームのオーガ後壁と搬送部のフィーダハウスとで形成されるコーナ状の空間スペースに設けることにより、デバイダは空間スペースを有効利用して保持することができるため、保持手段に保持されたデバイダは、側方に大きく突出せず他に影響なく収納することができる。
請求項３の発明によれば、保持手段を板状の取付部材とし、ボルトによってデバイダを取付けるデバイダ取付部材の取付部と同形状にすると共に、取付部から取外したデバイダを、保持手段に対し同じボルトによって取付けるようにしたことにより、取外したデバイダは取付部と同じ保持手段に同様な取付手段によって簡単に着脱することができると共に、デバイダやボルトの散逸を防止する簡潔で廉価なデバイダ収納構造にすることができる。
【図面の簡単な説明】
【０００７】
【図１】コンバインの側面図である。
【図２】図１の平面図である。
【図３】デバイダ収納構造を備える刈取部の左側面図である。
【図４】取外したデバイダをデバイダ収納構造に収納した状態を示す刈取部の左側面図である。
【図５】刈取部及びデバイダ収納構造を示す後方斜視図である。
【発明を実施するための形態】
【０００８】
本発明の実施の形態を図面に基づいて説明する。図示する符号Ａは本発明に係るデバイダ収納構造１を備えた汎用型のコンバインであり、このコンバインＡは、左右一対のクローラ式の走行部２ａを備える走行機体２に、右側の前部から操縦部３とエンジンが搭載される原動機部４と穀粒排出オーガ装置５ａを備える穀粒貯留部５とを配設している。また走行機体２の左側には、スレッシャー型の脱穀部６を配設し、該脱穀部６の前方位置に刈取部９と搬送部１０等を昇降自在に支持し、刈取部９による作物の刈高さ調節を自在とするように設置している。これにより圃場に植立する作物を刈取部９で刈取り、刈取った作物は搬送部１０を介し脱穀部６に搬送し、脱穀部６により脱穀選別された穀粒（精粒）を穀粒貯留部５に供給して貯留する。
【０００９】
図１〜図５を参照し前記デバイダ収納構造１を備える刈取部９について説明する。先ず、刈取部９は、刈取幅を有するプラットホーム１１の前端部に左右一対のデバイダ（分草具）１２を設けており、該デバイダ１２，１２間の後方位置に刈刃１３を設けると共に、該刈刃１３の後方にプラットホームオーガ１４を設け、プラットホーム１１の後端上部に左右一対のリール支持アーム１５の基端を取付け、且つ両リール支持アーム１５，１５間に収穫機用リールとしての掻込リール１６を回転自在に軸支している。また左側の未刈地側となるデバイダ１２の後方には、ナローガイド１７を配設し後述するナローガイド作用姿勢において植立穀稈を側方に向けて傾倒案内させるようにしている。
【００１０】
この刈取部９のプラットホーム１１は、オーガ底板１１ａと、その後方から上方に向けて立ち上がるオーガ後壁１１ｂと、オーガ底板１１ａとオーガ後壁１１ｂとの両端をそれぞれ接続するオーガ側壁１１ｃとからなり、前記プラットホームオーガ１４を左右のオーガ側壁１１ｃに駆動軸を介し回転駆動自在に軸支している。そして、プラットホームオーガ１４に通ずる搬送部１０のフィーダハウス１０ａの先端を、オーガ後壁１１ｂの背面中途の左側寄りに一体的に接続している。
【００１１】
この構成においてプラットホーム１１は、オーガ後壁１１ｂの左右側とフィーダハウス１０ａの左右側壁とによりコーナ状をなす空間スペースＳを形成している。そして、図示する左側の空間スペースＳに対して、デバイダ１２を一時的に収納することができるデバイダ収納構造１を後述するように構成している。またオーガ後壁１１ｂの右側と操縦部３の前部との間に、刈取部９の昇降移動を許容する移動スペースを有している。
【００１２】
掻込リール１６は、左右のリール外枠１６ａ，１６ａ間に複数のタイン１８を有するタイン取付バー１９を円周方向に掻き込み間隔を有して横設しており、下向き矢印方向（図１）に回転駆動することにより、植立穀稈を刈刃１３側に誘導しプラットホーム１１内に掻き込むことができる。またリール１６によって掻き込まれ刈刃１３で刈取られた作物（穀稈）は、プラットホームオーガ１４から搬送部１０に集合されて、フィーダハウス１０ａから後方搬送され脱穀部６に至り脱穀選別作業が行われる。
【００１３】
次に、前記デバイダ１２及びデバイダ収納構造１ついて図３〜図５を参照し説明する。先ず、デバイダ１２はプラットホーム１１の両端から前方に向けて突設されるデバイダ取付部材２０の先端に着脱自在に取付けられており、コンバイン作業時に植立穀稈を機体の前進走行にともない左右に仕分けて分草する。図示例のデバイダ１２は、従来のものと同様に、デバイダ本体１２ａと該デバイダ本体１２ａ内から後方に向けて突設される取付部１２ｂとからなる。デバイダ本体１２ａは、先鋭状の前部から後方に向けて末広がり状をなすように平面視で扇形状をなし、且つ側面視で前部から後方に向けて順次高くなるように傾斜させた分草斜面を形成している。また取付部１２ｂは縦板状の板面にボルト２１を挿入する複数（図示例では２個）の取付孔２２を上下方向に穿設している。（図４）
【００１４】
一方、デバイダ取付部材２０は、先端に設けた縦板状の取付部２０ａに、上記ボルト２１を挿入する複数の取付孔２３を上下方向に穿設している。（図４）これによりデバイダ１２は、その取付部１２ｂをデバイダ取付部材２０の取付部２０ａに一側から重ねた状態で両者の取付孔２２と取付孔２３に各ボルト２１を挿入しナット掛け等の締着手段によって、デバイダ取付部材２０の先端に着脱自在に取付けることができる。
【００１５】
ナローガイド１７は、図３で示すように側面視でへ字状に形成されており、その先端を前記デバイダ取付部材２０の先端から前方に向けて突設した取付軸２５に回動自在に挿入した状態で、その中途部から下向きに突設した取付アーム１７ａをデバイダ取付部材２０に構成される姿勢切換機構２６に取付けている。（図４）これによりナローガイド１７は、図１に示すように機体側に近接した折畳み格納姿勢と、図２に示すように取付軸２５と姿勢切換機構２６を支点に側方に回動させて、植立穀稈を側方に向けて傾倒案内するナローガイド作用姿勢とに、択一的に切換えて姿勢保持されるようにしている。
【００１６】
デバイダ収納構造１は、前記左側の空間スペースＳにおいて、左右のデバイダ１２を纏めて保持する保持手段２７を設けて構成されている。即ち、図示例のデバイダ収納構造１は、保持手段２７を長方形状の板状体となして長辺部をオーガ後壁１１ｂの背面に突設しており、前記左右のデバイダ１２の取付部１２ｂに穿設される複数の取付孔２２と合致する複数（図示例では２個）の取付孔２９を、板状体の上下にそれぞれ前記後方向（横向き）に穿設している。この際に、上記保持手段２７は、オーガ後壁１１ｂの背面に対し、取付けられる左右のデバイダ１２がオーガ後壁１１ｂの側方及び上下方向から大きく突出しない位置に設けることが望ましい。
【００１７】
上記構成により、左右のデバイダ１２は、デバイダ取付部材２０に取付けられた分草作業状態から、ボルト２１を緩めて除去することにより、デバイダ取付部材２０の取付部２０ａから簡単に取外すことができる。そして図４に示すように、外された左右のデバイダ１２は、各取付部１２ｂを保持手段２７の上下の取付孔２９を選択し取付孔２２を合致させ、両取付孔２２,２９に対し取外しされたボルト２１を挿入し締着する。これにより左右のデバイダ１２は、保持手段２７に対し上下に振り分けた状態で取付けた収納姿勢で保持することができる。
【００１８】
また上記収納姿勢において左右のデバイダ１２は、前記適正位置に設置された保持手段２７に、互いの取付部１２ｂを上下方向に近接させて取付けられるため、空間スペースＳ内にコンパクトに纏めて取付けた収納姿勢になる。このとき上下のデバイダ１２の先端はオーガ後壁１１ｂの背後で上下から突出することなく、且つフィーダハウス１０ａに接当することなく近接した位置に取付けられ、且つ他物との接触を防止するように収納される。さらに、空間スペースＳは側方が広く開放されていると共に、保持手段２７は地上から離間した適正高さ位置にあるため、デバイダ１２の取付け及び取外し等の着脱作業を簡単且つ能率よく行うことができる。また保持手段２７に対するデバイダ１２の取付けは、デバイダ取付部材２０への取付けに用いるボルト２１を利用して取付けるため、ボルト２１の散逸も防止することができる等の特徴がある。
【００１９】
以上のように構成されるコンバインＡは、プラットホーム１１の両側から前方に向けて突設されるデバイダ取付部材２０に着脱自在に取付ける左右のデバイダ１２を、該デバイダ取付部材２０から取外したのち、刈取部９に対しオーガ後壁１１ｂから側方に突出させることなく収納保持することができる。従って、コンバインＡの荷積み作業や路上走行をする際に、従来のもののようなデバイダ１２の先端に取付けられるバンパを省略でき割安な構成にでき、またデバイダ１２と人体との接触を懸念することなく、道路交通法で定められる安全な運転を行うことができる。
【００２０】
またデバイダ１２を刈取部９のデバイダ収納構造１に保持したコンバインＡは、機体下部の全長がデバイダ１２の長さ分だけ短くなり、積載スペースを少なくすることができるので、生産工場からトラック積みやコンテナ積みをする際に、効率の高い積み込み作業を行いながら輸送することができる。またデバイダ収納構造１に収納したデバイダ１２は、オーガ後壁１１ｂからはみ出すことなく保持されるので、人体や他物との接触を心配することなく、荷積み作業や納屋等の格納場所での運転を能率よく行うことができる。
【００２１】
そして、プラットホーム１１のオーガ後壁１１ｂと搬送部１０のフィーダハウス１０ａとで形成されるコーナ状の空間スペースＳにデバイダ収納構造１を設けたコンバインＡは、フィーダハウス１０ａ内の清掃や点検及び修理等のメンテナンス作業を行なう際に、例えばフィーダハウス１０ａの上側壁に設けられる蓋カバーを、作業者が側方又は該側方から上側壁に上り開けて行なうとき、デバイダ収納構造１並びに収納状態にあるデバイダ１２に邪魔されることなくメンテナンス作業を行うことができる。
【００２２】
さらに、このデバイダ収納構造１は、デバイダ１２を保持する保持手段２７をデバイダ取付部材２０の取付部１２ｂと同形状となして、デバイダ１２を同一のボルト２１によって着脱自在に取付けるようにしているため、簡単で廉価な構成にすることができると共に、ボルト２１の散逸を防止しながら、デバイダ１２のデバイダ取付部材２０と保持手段２７との択一的な着脱作業を能率よく行うことができる等の特徴がある。
【００２３】
尚、図示する実施形態ではデバイダ収納構造１を、刈取部９の左側の空間スペースＳに対し、左右のデバイダ１２を纏めて収納するように構成したが、図５に点線で示すように、オーガ後壁１１ｂの右側の背後に右側のデバイダ１２を取付ける保持手段２７を設けるようにしてもよい。この場合には保持手段２７は左右のデバイダ１２をそれぞれ専用的に取付ける形状となして、当該デバイダ１２を左右に振り分けて収納保持することができるので、より小スペースでの取付けを可能にすると共に、例えば左右のデバイダ１２のデバイダ本体１２ａ又は取付部１２ｂの形状が異なるとき、デバイダ収納構造１に収納状態にある左右のデバイダ１２を、取り違えることなく各対応するデバイダ取付部材２０に対して適正に取付けることができる。
【００２４】
また図示例のデバイダ収納構造１は、空間スペースＳに対しオーガ後壁１１ｂから取付孔２２を穿設した平板状の保持手段２７を突設した構成を示したが、これに限ることなく保持手段２７は、図示しない箱状の容器となして、オーガ後壁１１ｂ又はフィーダハウス１０ａ側に設けるように構成してもよいものである。この場合には上記容器内に取外したデバイダ１２とボルト２１を単に収容して保持させることができる。また上記いずれのデバイダ収納構造１も、オーガ後壁１１ｂの背後の他に前記メンテナンス作業の邪魔にならない箇所として、例えばフィーダハウス１０ａの側壁や底板の裏側或いは掻込リール１６の取付機構の後部等に設けてもよいものである。
【符号の説明】
【００２５】
Ａ  コンバイン
１  デバイダ収納構造
２  走行機体
２ａ  走行部
３  操縦部
６  脱穀部
９  刈取部
１０  搬送部
１０ａ  フィーダハウス
１１  プラットホーム
１１ｂ  オーガ後壁
１２  デバイダ
１２ｂ  取付部
２０  デバイダ取付部材
２０ａ  取付部
２１  ボルト
２２,２３  取付孔
２７  保持手段
Ｓ  空間スペース
【図１】
2014014314.tif 000003
【図２】
2014014314.tif 000004
【図３】
2014014314.tif 000005
【図４】
2014014314.tif 000006
【図５】
2014014314.tif 000007